(57)【要約】      （修正有）【課題】既設の流水調節装置に容易に設置できるとともに、水門や水路を開閉する開閉部材の開度を正確に計測して、流水調節装置を正確に調節できるようにする。【解決手段】水門や水路を開閉する開閉部材と、開閉部材に連結されて、開閉操作によって開閉部材とともに変位する操作軸とを有する流水調節装置の開度計測器具において、操作軸の基準位置および変位位置を示す指標Ｆと、長手方向に沿って第１の間隔Ｈ１〜Ｈ１０を有し、長さ情報が付される第１の目盛Ｙと、第１の間隔Ｈ１〜Ｈ１０を第２の間隔ｈ１〜ｈ１０で等分する第２の目盛Ｘであって、長手方向に対して直交する方向に段階的に変位して付され、第１の目盛Ｙからの変位量が同じものに対して同じ識別情報が付される第２の目盛Ｘとが配置される定規部材Ｔとを備える。【選択図】図１
2011208727.tif 000002
【特許請求の範囲】
【請求項１】
水門や水路を開閉する開閉部材と、該開閉部材に連結されて、開閉操作によって開閉部材とともに変位する操作軸（４，１２，２２）とを有する流水調節装置の開度計測器具において、
前記操作軸（４，１２，２２）の基準位置および変位位置を示す指標（Ｆ）と、
長手方向に沿って第１の間隔（Ｈ１〜Ｈ１０）を有し、長さ情報が付される第１の目盛（Ｙ）と、第１の間隔（Ｈ１〜Ｈ１０）を第２の間隔（ｈ１〜ｈ１０）で等分する第２の目盛（Ｘ）であって、長手方向に対して直交する方向に段階的に変位して付され、第１の目盛（Ｙ）からの変位量が同じものに対して同じ識別情報が付される第２の目盛（Ｘ）とが配置される定規部材（Ｔ，Ｔ１，Ｔ２）とを備え、
該定規部材（Ｔ，Ｔ１，Ｔ２）の第１の目盛（Ｙ）および第２の目盛（Ｘ）における指標（Ｆ）の位置に基づいて、前記開閉部材の開度を計測するように構成されることを特徴とする流水調節装置の開度計測器具。
【請求項２】
前記長さ情報および識別情報は、数字、色、文字、記号、バーコード、スリットのうちいずれか、またはこれらの組み合わせであることを特徴とする請求項１に記載の流水調節装置の開度計測器具。
【請求項３】
前記定規部材（Ｔ，Ｔ１，Ｔ２）は、筒状、凹状、平板のうちいずれかであることを特徴とする請求項１または２に記載の流水調節装置の開度計測器具。
【請求項４】
前記定規部材（Ｔ，Ｔ１，Ｔ２）は、透明または半透明であることを特徴とする請求項１乃至３のいずれか１項に記載の流水調節装置の開度計測器具。
【請求項５】
前記定規部材（Ｔ，Ｔ１，Ｔ２）は、基準となる水平面に固定するための固定部材として、着脱可能な磁石（Ｍ，Ｍ１，Ｍ２）、両面テープ、接着剤が使用されることを特徴とする請求項１乃至４のいずれか１項に記載の流水調節装置の開度計測器具。
【発明の詳細な説明】
【技術分野】
【０００１】
本発明は、流水調節装置の開閉部材の開度、例えば、水門の扉や水路の弁体の開度を計測するための開度計測器具に関する。
【背景技術】
【０００２】
従来より、取水、排水などのために、河川の水門や水路に水量を調節する流水調節装置が設置されている。この流水調節装置としては、スピンドル式ゲート、ラック式ゲート、スライドゲートバルブなどが一般的に知られている。
【０００３】
そして、スピンドル式ゲートおよびラック式ゲートは、水門を開閉する場合に使用されるもので、水門を開閉する扉（以下、開閉部材という）と、該扉に連結され、扉に開閉操作の原動力を伝達する操作軸と、該操作軸を昇降操作するハンドルとを備えている。また、スライドゲートバルブは、水路を開閉する場合に使用されるもので、該水路を開閉する弁体（以下、開閉部材という）と、該弁体に連結される操作軸と、該操作軸を昇降操作するハンドルとを備えている。
【０００４】
上述したいずれの流水調節装置も、適切な流水量が得られるように、操作軸を介して開閉部材を昇降操作し、開閉部材の開度を調節している。したがって、開閉部材の開度操作は精度が必要とされる場合があるし、開閉部材の開度がどの程度なのか、管理者が目視によって確認することも必要とされる。
【０００５】
以上のことから、開閉部材の開度を計測するための開度計測器具が種々考案されている。例えば、上下に二分された領域、すなわち開閉部材の開領域および閉領域を色分けしたテープ状の表示部材と、該表示部材の両端部を上下方向に移動できるように、巻き取りと繰り出しとを行えるようにした機構部と、表示部材と流水調節装置の操作軸を連結する連結部材と、色分けされた２つの領域が操作軸の昇降量に応じて変化する割合を目視できるように、長手方向に沿って目盛が付された透明樹脂製の定規部材とを備えたものが公知になっている（特許文献１）。
【０００６】
そして、表示部材の色分けされた２つの領域は、閉状態を示す領域が表示部材の上側に配置されるとともに、開状態を示す領域が表示部材の下側に配置され、さらに、各領域が色によって区分けされて表示されている。すなわち、開閉部材が全閉状態から全開状態に至るまでの移動量とその状態が、各領域の長さと色とで表示されている。
【０００７】
そして、定規部材の目盛と、定規部材から透視できる表示部材の領域の位置とを目視することで、開閉部材の開度の割合を確認できるようになっている。
【先行技術文献】
【特許文献】
【０００８】
【特許文献１】特開平１１−２２８５５号公報
【発明の概要】
【発明が解決しようとする課題】
【０００９】
しかしながら、従来の前記開度計測器具の場合、開閉部材の操作軸の昇降移動に、表示部材の色分けされた領域が連動するように、該操作軸と表示部材とを連結するとともに、表示される表示部材の領域を定規部材の目盛で読み取る必要があるため、上述した種々の既設の流水調節装置に取り付けることが困難であるという問題がある。
【００１０】
また、色分けされた領域の表示される割合をもって、開閉部材の開度としているので、開閉部材の開度を正確に、すなわち実測値に近い状態で計測できない。換言すれば、流水調節装置を正確に調節できないという問題がある。
【００１１】
本発明は、このような実情に鑑みてなされ、種々の既設の流水調節装置に容易に設置できるとともに、水門や水路を開閉する開閉部材の開度を正確に計測して、流水調節装置を正確に調節できるようにした流水調節装置の開度計測器具を提供することを目的とする。
【課題を解決するための手段】
【００１２】
本発明に係る流水調節装置の開度計測器具は、水門や水路を開閉する開閉部材と、該開閉部材に連結されて、開閉操作によって開閉部材とともに変位する操作軸４，１２，２２とを有する流水調節装置の開度計測器具において、前記操作軸４，１２，２２の基準位置および変位位置を示す指標Ｆと、長手方向に沿って第１の間隔Ｈ１〜Ｈ１０を有し、長さ情報が付される第１の目盛Ｙと、第１の間隔Ｈ１〜Ｈ１０を第２の間隔ｈ１〜ｈ１０で等分する第２の目盛Ｘであって、長手方向に対して直交する方向に段階的に変位して付され、第１の目盛Ｙからの変位量が同じものに対して同じ識別情報が付される第２の目盛Ｘとが配置される定規部材Ｔ，Ｔ１，Ｔ２とを備え、該定規部材Ｔ，Ｔ１，Ｔ２の第１の目盛Ｙおよび第２の目盛Ｘにおける指標Ｆの位置に基づいて、前記開閉部材の開度を計測するように構成されることを特徴とする。
【００１３】
この場合、開閉操作する前に、指標Ｆが位置する起点を定規部材Ｔ，Ｔ１，Ｔ２の第１の目盛Ｙおよび第２の目盛Ｘにおいて確認した後、開閉操作によって、起点から変位した指標Ｆの変位点を定規部材Ｔ，Ｔ１，Ｔ２の第１の目盛Ｙおよび第２の目盛Ｘにおいて確認する。すなわち、この変位点における指標Ｆの位置に基づいて、第１の目盛Ｙの長さ情報で、起点から変位点までの長手方向の変位量を計測するとともに、第２の目盛Ｘの識別情報で、第１の目盛Ｙから段階的に変位する変位量を計測する。そうすることによって、開閉部材の開度を正確に計測できるようになる。すなわち、水門や水路に対する開閉部材の開口率を正確に調整することができて、流水調節装置における流水量（維持流量、灌漑用水など小流量）を正確に調整することができる。
【００１４】
また、本発明によれば、長さ情報および識別情報を、数字、色、文字、記号、バーコードやスリットのうちいずれか、またはこれらの組み合わせとするような構成を採用することもできる。
【００１５】
この場合、長さ情報および識別情報を、数字、色、文字、記号、バーコードやスリットのうちいずれか、またはこれらの組み合わせによって構成することもできる。但し、開度を計測するには、数字以外の情報、すなわち色、文字、記号、バーコード、スリット３０の情報で構成する場合は、長さ（数字）に置き換える必要がある。
【００１６】
また、本発明によれば、前記定規部材Ｔ，Ｔ１，Ｔ２を、筒状、凹状、平板のうちいずれかとするような構成を採用することもできる。
【００１７】
この場合、既設の流水調節装置の操作軸４，１２，２２の形状に応じた定規部材Ｔ，Ｔ１，Ｔ２を使用することができる。すなわち、既設の流水調節装置により対応しやすくなる。
【００１８】
また、本発明によれば、前記定規部材Ｔ，Ｔ１，Ｔ２を、透明または半透明とするような構成を採用することもできる。
【００１９】
この場合、透明または半透明の定規部材Ｔ，Ｔ１，Ｔ２を操作軸４，１２，２２の前方に配置できるとともに、定規部材Ｔ，Ｔ１，Ｔ２の第１の目盛Ｙおよび第２の目盛Ｘの真後ろに指標Ｆを位置させることができて、目視しやすくなる。
【００２０】
また、本発明によれば、前記定規部材Ｔ，Ｔ１，Ｔ２を基準となる水平面に固定するための固定部材として、着脱可能な磁石Ｍ、両面テープ、接着剤を使用するような構成を採用することもできる。
【００２１】
この場合、定規部材Ｔ，Ｔ１，Ｔ２の第１の目盛Ｙおよび第２の目盛Ｘと指標Ｆとを正確に位置させることができる。すなわち、開度計測の精度を向上することができる。
【発明の効果】
【００２２】
本発明によれば、流水調節装置の開閉部材に連結される操作軸の軸方向および周方向の変位を、操作軸の基準位置および変位位置を示す指標と、長手方向に沿って付された定規部材の第１の目盛と、長手方向に対して直交する方向に段階的に変位して付された第２の目盛とによって計測するようにしたので、前記開閉部材の開度を正確に計測することができるとともに、流水調節装置を正確に調節することができる。
【００２３】
また、上述した指標は、操作軸の基準位置および変位位置を示すもので、定規部材は、指標の基準位置および変位位置に基づいて開度を計測するものであり、いずれも複雑な機構はなく、既設の流水調節装置に容易に設けることができる。
【図面の簡単な説明】
【００２４】
【図１】（ａ）は、本発明の一実施形態に係る流水調節装置の開度計測器具を示す正面図、（ｂ）は、図１（ａ）の底面図。
【図２】流水調節装置（スライドゲートバルブ）に、図１の開度計測器具を実装した状態を示す斜視図。
【図３】図１の開度計測器具の使用態様を示す説明図。
【図４】流水調節装置（スピンドル式ゲート）に、図５の開度計測器具を実装した状態を示す正面図。
【図５】（ａ）は、平板状の開度計測器具を示す正面図、（ｂ）は、図５（ａ）の底面図。
【図６】流水調節装置（ラック式ゲート）に、図５の開度計測器具を実装した状態を示す正面図。
【図７】（ａ）は、開度計測器具の変形例であって、不透明の平板状の定規部材と、該定規部材を、水平方向にスライドさせるとともに、水平な基準位置に固定するための固定部材とを示す正面図、（ｂ）は、図７（ａ）のスライド部分を拡大した断面図。
【発明を実施するための形態】
【００２５】
以下、本発明の一実施形態に係る流水調節装置の開度計測器具について図１〜図５を参照しつつ詳細に説明する。
【００２６】
まず、本実施形態に係る流水調節装置の開度計測器具について図１〜図３を参照して説明する。該開度計測器具Ａは、図１（ａ）、（ｂ）に示すように、長手方向に沿って第１の間隔Ｈを有し、長さ情報が付される第１の目盛Ｙと、第１の間隔Ｙを第２の間隔ｈ１〜ｈ１０で等分する第２の目盛Ｘであって、直交する方向に段階的に変位して付され、第１の目盛Ｙからの変位量が同じものに対して同じ識別情報が付される第２の目盛Ｘとが配置される定規部材Ｔと、図２及び図３に示すように、後述する流水調節装置１の操作軸４の中途部に付された、該操作軸４の基準位置および変位位置を示す指標Ｆとを備えている。
【００２７】
定規部材Ｔは、透明の合成樹脂材によって作製されて、半割れの筒状を呈している。そして、第１の間隔Ｈは、１ｃｍ（１０ｍｍ）毎に軸方向に沿って１０個の間隔Ｈ１〜Ｈ１０が形成されるとともに、各間隔Ｈ１〜Ｈ１０に、第１の目盛Ｙとして、長さ情報である数字「０」〜「９」が付されている。そして、第２の間隔ｈ１〜ｈ１０は、第１の間隔（１ｃｍ）を等分する間隔（１ｍｍ）である。また、第２の目盛Ｘは、第１の目盛Ｙから１ｍｍずつ右上がりに変位する目盛であり、その変位量が同じ列の第２の目盛Ｘに対して同じ色の識別情報が付されている。例えば、左端の１列目が「赤」、２列目が「緑」、３列目が「青」、４列目が「黄」、５列目が「ピンク」、６列目が「水色」、７列目が「茶」、８列目が「紫」、９列目が「黄緑」、１０列目が「オレンジ」となっている。
【００２８】
また、定規部材Ｔの下端部の端面に、該端面に沿うように円弧状の磁石Ｍが固着されている。この磁石Ｍは、流水調節装置において基準となる水平面に定規部材Ｔを固定するためのものである。また、磁石Ｍであることから、定規部材Ｔを流水調節装置１に着脱できるようになり、作業者が携帯できるようになっている。
【００２９】
指標Ｆは、白色で幅寸法が１ｍｍのテープからなり、後述する流水調節装置１の操作軸４の中途部の位置に、その周方向に沿って貼り付けられている。
【００３０】
ここで、本実施形態に係る開度計測器具Ａが使用される流水調節装置について、スライドゲートバルブを例にとって説明する。該スライドゲートバルブ１は、図２に示すように、流路（図示せず）が水平方向に形成される弁箱２と、該弁箱２の上壁に対して直交方向に貫設された雌ねじ３と、該雌ねじ３に螺合して、先端部側が流路の中央に位置するとともに、基端部側が外部に導出された操作軸（雄ねじ）４と、該操作軸４の先端部に取り付けられた、流路を開閉する開閉部材としての弁体（図示せず）と、操作軸４の基端部側に螺合するねじ孔が形成された連結軸６を有するハンドル５と、該ハンドル５の連結軸６が回動自在に支持された支持体７とを備えている。そして、ハンドル５を回動操作すると、操作軸４を介して弁体が昇降して、流路の開閉が行われる。
【００３１】
つぎに、上記のように構成されたスライドゲートバルブ１に、本実施形態に係る開度計測器具Ａを使用する場合の態様について説明する。まず、図２に示すように、基準となる水平面、例えば、弁箱２の雌ねじ３の端面に、定規部材Ｔの下端部に固着された磁石Ｍを磁着させて、定規部材Ｔを固定する。
【００３２】
この際、図３の実線に示すように、スライドゲートバルブ１の操作軸４に付された指標Ｆと、定規部材Ｔの第１の目盛Ｙおよび第２の目盛Ｘとが重なる位置、すなわち起点を確認する。例えば、左端から５列目の「ピンク」の「２」に指標が位置しているとすると、この点を起点とする。
【００３３】
つぎに、図３の鎖線に示すように、ハンドル５を開方向に回動操作して、操作軸４の指標Ｆが前記起点から、ハンドル５の操作量に応じた変位点、すなわち左端から６列目の「水色」の「９」に指標が位置しているとすると、第１の目盛Ｙの長さ情報（数字）によって、９ｃｍ−２ｃｍ＝７ｃｍの軸方向の変位量が計測されることになる。
【００３４】
そして、起点となる位置の「２」と同列、すなわち左端から５列目のピンク色の「９」から、左端から６列目の水色の「９」の周方向の変位量（１ｍｍ）を第２の目盛Ｘで計測する。これら軸方向および周方向の変位量の合計（７．１ｃｍ）が開度となる。
【００３５】
このように、本実施形態に係る開度計測器具Ａは、操作軸４の指標Ｆの軸方向および周方向の変位量を、軸方向に沿って付された定規部材Ｔの第１の目盛Ｙと、第１の目盛Ｙから段階的に変位して付された定規部材Ｔの第２の目盛Ｘとで計測するようにしたので、ミリ単位で操作軸４の変位量を正確に計測することができる。また、本実施形態に係る開度計測器具Ａは、本実施例に限らず、用途や要求精度により、第１の間隔、第２の間隔を変えることにより無限の設定ができる。
【００３６】
また、本実施形態に係る開度計測器具Ａは、基準となる水平面に定規部材Ｔを磁着するだけなので、上述したスライドゲートバルブ１だけではなく、種々の既設の流水調節装置に容易に対応できる。例えば、スピンドル式ゲートやラック式ゲートにも適用できる。まず、スピンドル式ゲートについて説明する。該スピンドル式ゲート１０は、図４に示すように、水門を開閉する開閉部材としての扉（図示せず）と、該水門の上方に設置されたベース１１と、該ベース１１を貫通して、扉の上端部に先端部が回動自在に連結された操作軸１２と、該操作軸１２を介して扉を開閉操作するハンドル１３と、ケース１４ａ，１４ｂに収容され、該ハンドル１３の回動操作を扉の昇降動作に変換させる伝達機構部１５とを備えている。そして、伝達機構部１５は、ハンドル１３の回動軸１６と、該回動軸１６に固着された小歯車１７と、操作軸１２を昇降させるべく噛合した大歯車１８と、小歯車１７および大歯車１８に巻回されたチェーン１９とを備えている。
【００３７】
操作軸１２は、所定の位置に、テープや塗料によって着色されたリング状の指標Ｆが付されている。そして、操作軸１２の外側に、断面が円弧状のカバー１２０が取り付けられており、該カバー１２０は、操作軸１２の正面側のみが臨出するように、軸方向に沿って細長い開口部１２０ａが形成されている。そして、カバー１２０の開口部１２０ａから操作軸１２の指標Ｆが目視できるようになっている。
【００３８】
前記実施形態では、半割れ筒状の定規部材Ｔを使用したが、スピンドル式ゲート１０の場合、開口部１２０ａから操作軸１２の指標Ｆが目視できるので、図５（ａ）、（ｂ）に示す平板状で且つ透明の定規部材Ｔ１を使用する。なお、この定規部材Ｔ１には、図１（ａ）と同様の第１の目盛Ｙおよび第２の目盛Ｘが付されるとともに、定規部材Ｔ１の下端部に沿って直線状の磁石Ｍ１が固着されている。この定規部材Ｔ１を、水平な基準面、例えばケース１４の上面に、磁石Ｍ１によって固定する。そして、前記と同様に、操作軸１２の指標Ｆの起点と変位点との位置を、定規部材Ｔ１の第１の目盛Ｙおよび第２の目盛Ｘによって、確認するとともに、その差分を計測して、開度を計測する。
【００３９】
つぎに、ラック式ゲート２０は、図６に示すように、水門を開閉する開閉部材としての扉（図示せず）と、該水門の上方に設置された筺体２１を貫通して、扉に連結された操作軸２２と、該操作軸２２を介して扉を開閉操作するハンドル２３と、ハンドル２３の回動操作を操作軸２２の昇降動作に変換させる伝達機構部（図示せず）とを備えている。なお、定規部材としては、図５（ａ）、（ｂ）に示す平板状の定規部材Ｔ１を使用するものとする。また、操作軸２２は、一対の平板２２ａ，２２ａと、該各平板２２ａ，２２ａの間に所定の間隔をおいて配置されたスペーサ２２ｂ，…とを有している。そして、各スペーサ２２ｂ，…によって形成された間隙２２ｃ，…に、ハンドル２３の回動操作に連動する歯車（伝達機構部）の歯が噛み合うことで、操作軸２２が昇降動作するようになっている（図示せず）。
【００４０】
そして、筺体２１から貫通して外部に導出される操作軸２２に、直線状の指標Ｆを貼り付ける一方、平板状の定規部材Ｔ１の第１の目盛Ｙおよび第２の目盛Ｘが操作軸２２に対向するように、定規部材Ｔ１の磁石Ｍ１を筺体２１の上面に磁着させて、定規部材Ｔ１を固定する。つぎに、定規部材Ｔ１の第１の目盛Ｙおよび第２の目盛Ｘに重なる操作軸２２の指標Ｆの位置に基づいて、開度を計測する。
【００４１】
なお、本発明は、前記実施形態に限定されることなく、発明の要旨を逸脱しない限りにおいて、適宜、必要に応じて、設計変更や改良等を行うのは自由であり、また、その構成の組み合わせも自由である。
【００４２】
例えば、前記実施形態では、第１の目盛Ｙに数字を付して、第２の目盛Ｘに色を付するようにしたが、第１の目盛Ｙに色を付して、第２の目盛Ｘに数字を付するようにしてもよい。また、数字や色だけではなく、バーコードのように線状体の幅寸法によって開度の割合を表示するようにしてもよい。但し、開度を計測するには、数字以外の情報、すなわち色、文字、記号、バーコード、スリットの情報で構成する場合は、長さ（数字）に置き換える必要がある。
【００４３】
また、前記実施形態の場合、指標Ｆおよび第１の目盛Ｙおよび第２の目盛Ｘを着色するようにしたが、蛍光色を使用して、目視しやすいようにしてもよい。
【００４４】
また、前記実施形態の場合、定規部材Ｔを透明又は半透明の合成樹脂材を使用するようにしたが、不透明の材料（合成樹脂材または鋼材）を使用するようにしてもよい。この場合、図７（ａ）に示すように、所定の幅寸法を有するスリット３０を所定の間隔をおいて軸方向に形成し、各スリット３０から変位する操作軸４の指標Ｆを目視するようにしてもよい。また、各スリット３０を軸方向に対して直交する方向（水平方向）に形成してもよい。但し、スリット３０から指標Ｆが見づらい場合は、図７（ｂ）に示すように、定規部材Ｔの２倍の長さを有するとともに、該定規部材Ｔをスライドさせる溝３１を有する磁石Ｍ２を設けるようにしてもよい。この場合、定規部材Ｔの下端部は、溝３１に嵌合するように突条体３２を形成する必要がある。
【００４５】
また、前記実施形態の場合、定規部材Ｔを操作軸４の前方に配置するようにしたが、後方に配置するようにしてもよい。この場合、操作軸４の指標Ｆと定規部材Ｔの第１の目盛Ｙおよび第２の目盛Ｘの重なる位置を目視しづらいので、図７（ｂ）に示すように、定規部材Ｔを水平方向にスライドさせて、指標Ｆの位置を確認する必要がある。
【００４６】
また、前記実施形態の場合、半割れ筒状や平板状の定規部材Ｔを使用するようにしたが、これら形状に限定されるものではなく、筒状の定規部材を使用するようにしてもよい。要は、長手方向に第１の目盛Ｙが付されて、直交方向に第２の目盛Ｘが付される形状であればよい。
【００４７】
また、前記実施形態の場合、操作軸（可動部）４に指標Ｆを付するとともに、基準となる水平面（固定部）に定規部材Ｔを設けるようにしたが、可動部に、開閉操作に伴って基準位置から変位位置に移動できるように構成された定規部材を設けるとともに、固定部に指標を設けるようにしてもよい。
【００４８】
前記実施形態の場合、定規部材Ｔの固定部材として、着脱可能な磁石Ｍを使用したが、繰り返し使用できる両面テープや接着剤であってもよい。
【符号の説明】
【００４９】
１…スライドゲートバルブ、２…弁箱、３…雌ねじ、４，１２，２２…操作軸、５，１３，２３…ハンドル、６…連結軸、７…支持体、１０…スピンドル式ゲート、１１…ベース、１４…ケース、１５…伝達機構部、１６…回動軸、１７…小歯車、１８…大歯車、１９…チェーン、２０…ラック式ゲート、２１…筺体、２２…操作軸、２２ａ，２２ａ…平板、２２ｂ…スペーサ、２２ｃ…間隙、３０…スリット、３１…溝、３２…突条体、１２０…カバー、１２０ａ…開口部、Ａ…開度計測器具、Ｆ…指標、Ｈ１〜Ｈ１０…第１の間隔、ｈ１〜ｈ１０…第２の間隔、Ｍ，Ｍ１，Ｍ２…磁石、Ｔ，Ｔ１，Ｔ２…定規部材、Ｘ…目盛、Ｙ…目盛
【図１】
2011208727.tif 000003
【図２】
2011208727.tif 000004
【図３】
2011208727.tif 000005
【図４】
2011208727.tif 000006
【図５】
2011208727.tif 000007
【図６】
2011208727.tif 000008
【図７】
2011208727.tif 000009